(57)【要約】【課題】簡単な構造で、壁下地への固定に用いられる固定具の外部への露出を抑えることができて、美観性に優れた外装パネル及び外壁構造を提案する。【解決手段】本発明の外装パネル１００は、複数条の溝部３を形成した角波板１からなる外装パネル１００である。この外装パネル１００では、複数条の溝部３のうち少なくとも１つの溝部３が、固定具２が打入されて壁下地３０に固定される第一溝部５である。そして、第一溝部５の両側壁５１，５２は、第一溝部５の底壁５０からの高さを互いに相違させている。また、本発明の外壁構造は、上記の外装パネル１００の第一溝部５に、固定具２が打入されて、角波板１が壁下地３０に取り付けられる外壁構造である。【選択図】図１
2014177830.tif 000002
【特許請求の範囲】
【請求項１】
複数条の溝部を形成した角波板からなる外装パネルであって、
複数条の前記溝部のうち少なくとも１つの溝部が、固定具が打入されて壁下地に固定される第一溝部であり、
前記第一溝部の両側壁は、前記第一溝部の底壁からの高さを互いに相違させていることを特徴とする外装パネル。
【請求項２】
複数条の前記溝部の両側壁は、前記角波板の表面側ほど互いに離れるように傾斜させて設けられることを特徴とする請求項１に記載の外装パネル。
【請求項３】
前記第一溝部の前記両側壁は、前記角波板の表面側ほど互いに近づくように傾斜させて設けられることを特徴とする請求項１に記載の外装パネル。
【請求項４】
複数条の前記溝部のうち前記第一溝部以外の溝部が、前記壁下地に当てられ、且つ前記固定具が打入されることのない第二溝部であり、
前記第二溝部の両側壁は、前記第二溝部の底壁からの高さを互いに相違させており、
前記第二溝部における高い方の側壁が位置する側は、前記第一溝部における高い方の側壁が位置する側と同じであることを特徴とする請求項１〜３のいずれか１項に記載の外装パネル。
【請求項５】
複数条の前記溝部のうち前記第一溝部以外の溝部が、前記壁下地に当てられ、且つ前記固定具が打入されることのない第二溝部であり、
前記第一溝部の開口幅は、前記第二溝部の開口幅よりも狭いことを特徴とする請求項１〜４のいずれか１項に記載の外装パネル。
【請求項６】
前記角波板の一方の側端部に第一段部を備え、他方の側端部に第二段部を備え、
隣接する少なくとも２枚の前記角波板を前記壁下地に取り付けた状態で、前記第一段部と前記第二段部とは重なって前記第一溝部と略同形状の溝を形成することを特徴とする請求項１〜５のいずれか１項に記載の外装パネル。
【請求項７】
請求項１〜６のいずれか１項に記載の外装パネルの前記第一溝部に、前記固定具が打入されて、前記角波板が前記壁下地に取り付けられることを特徴とする外壁構造。
【請求項８】
建物の出入口の両側に前記角波板が取り付けられ、
各角波板は、前記第一溝部の前記底壁からの高さが高い方の前記側壁が前記出入口側に位置するように取り付けられることを特徴とする請求項７に記載の外壁構造。
【発明の詳細な説明】
【技術分野】
【０００１】
本発明は、外壁に用いられる外装パネル及び外壁構造に関する。
【背景技術】
【０００２】
従来から、図１６に示すように、横胴縁等の壁下地３０に、角波鋼板１０からなる外装パネルが固定された建物の壁の構築構造がある。角波鋼板１０は、谷部１１にボルト等の固定具２が打入されることで壁下地３０に固定される。
【０００３】
こういった構築構造では、雨水に曝されることで錆びた固定具２が谷部１１から露出して、外観印象を損ねるといった問題があった。
【０００４】
上記問題を解決するものとして、例えば、特許文献１には、角波鋼板の谷部に、キャップを取り付けることで、固定具の露出を防止した構築構造が提案されている。
【先行技術文献】
【特許文献】
【０００５】
【特許文献１】特開２００４−２４４８０９号公報
【発明の概要】
【発明が解決しようとする課題】
【０００６】
しかし、特許文献１の構築構造では、角波鋼板と固定具以外に、キャップとキャップ固定金具が必要であり、これらを角波鋼板に取り付ける施工が手間であるとともに、部品点数が多くなって、製造コストが嵩むといった問題があった。
【０００７】
そこで、上記事情を鑑みて、本発明は、簡単な構造で、壁下地への固定に用いられる固定具の外部への露出を抑えることができて、美観性に優れた外装パネル及び外壁構造を提案することを課題とする。
【課題を解決するための手段】
【０００８】
上記課題を解決するために本発明の外装パネルは、複数条の溝部を形成した角波板からなる外装パネルであって、複数条の前記溝部のうち少なくとも１つの溝部が、固定具が打入されて壁下地に固定される第一溝部であり、前記第一溝部の両側壁は、前記第一溝部の底壁からの高さを互いに相違させていることを特徴とする。
【０００９】
また、複数条の前記溝部の両側壁は、前記角波板の表面側ほど互いに離れるように傾斜させて設けられることが好ましい。
【００１０】
あるいは、前記第一溝部の前記両側壁は、前記角波板の表面側ほど互いに近づくように傾斜させて設けられることが好ましい。
【００１１】
また、複数条の前記溝部のうち前記第一溝部以外の溝部が、前記壁下地に当てられ、且つ前記固定具が打入されることのない第二溝部であり、前記第二溝部の両側壁は、前記第二溝部の底壁からの高さを互いに相違させており、前記第二溝部における高い方の側壁が位置する側は、前記第一溝部における高い方の側壁が位置する側と同じであることが好ましい。
【００１２】
また、複数条の前記溝部のうち前記第一溝部以外の溝部が、前記壁下地に当てられ、且つ前記固定具が打入されることのない第二溝部であり、前記第一溝部の開口幅は、前記第二溝部の開口幅よりも狭いことが好ましい。
【００１３】
また、前記角波板の一方の側端部に第一段部を備え、他方の側端部に第二段部を備え、隣接する少なくとも２枚の前記角波板を前記壁下地に取り付けた状態で、前記第一段部と前記第二段部とは重なって前記第一溝部と略同形状の溝を形成することが好ましい。
【００１４】
また、上記課題を解決するために本発明の外壁構造は、前記外装パネルの前記第一溝部に、前記固定具が打入されて、前記角波板が前記壁下地に取り付けられることを特徴とする。
【００１５】
ここで、建物の出入口の両側に前記角波板が取り付けられ、各角波板は、前記第一溝部の前記底壁からの高さが高い方の前記側壁が前記出入口側に位置するように取り付けられることが好ましい。
【発明の効果】
【００１６】
本発明では、角波板の複数条の溝部のうち固定具が打入される第一溝部の両側壁を、底壁からの高さを互いに相違させることで、角波板を斜め前方から視たときに、底壁からの高さが高い方の側壁によって第一溝部内を隠すことができる。これにより、本発明では、第一溝部に打入された固定具の外部への露出を抑えることができて、美観性に優れる。また、本発明では、固定具の露出を抑えるための部材が、角波板以外に別途必要とならず、簡単な構成で、固定具の外部への露出を抑えることができる。
【図面の簡単な説明】
【００１７】
【図１】本発明の第一実施形態の外装パネルを示し、（ａ）は外装パネル単体の平断面図であり、（ｂ）は壁下地への取り付け前の状態を示す平断面図である。
【図２】同上の外装パネルを壁下地に取り付けた状態を示し、（ａ）は第一溝部内の固定具の頭部が屋外側に露出する範囲を示す平断面図であり、（ｂ）は外装パネルの斜め前方のある角度から光が入射した状態を示す説明図である。
【図３】同上の外装パネルの建物への取付例を示す説明図である。
【図４】（ａ）（ｂ）は同上の外装パネルを２枚、側端部同士を重ねて合成溝を形成した状態を示す平断面図である。
【図５】同上の外装パネルの搬送時の状態を示す説明図である。
【図６】（ａ）（ｂ）は本発明の第二実施形態の外装パネルを２枚、側端部同士を重ねて合成溝を形成した状態を示す平断面図である。
【図７】（ａ）（ｂ）は本発明の第三実施形態の外装パネルを２枚、側端部同士を重ねて合成溝を形成した状態を示す平断面図である。
【図８】本発明の第四実施形態の外装パネル単体を示す平断面図である。
【図９】本発明の第五実施形態の外装パネルを壁下地に取り付けた状態を示す平断面図である。
【図１０】（ａ）（ｂ）は同上の外装パネルを２枚、側端部同士を重ねて合成溝を形成した状態を示す平断面図である。
【図１１】同上の外装パネルの搬送時の状態を示す説明図である。
【図１２】本発明の第六実施形態の外装パネルを壁下地に取り付けた状態を示す平断面図である。
【図１３】本発明の第七実施形態の外装パネルを壁下地に取り付けた状態を示す平断面図である。
【図１４】同上の外装パネルの搬送時の状態を示す説明図である。
【図１５】本発明の第八実施形態の外装パネルを壁下地に取り付けた状態を示す平断面図である。
【図１６】従来例の外装パネルを壁下地に取り付けた状態を示す平断面図である。
【発明を実施するための形態】
【００１８】
以下、本発明の実施形態について図を参照しながら説明する。
【００１９】
図１（ａ）には、本発明の第一実施形態の外装パネル１００が示されている。外装パネル１００は、図２（ａ）に示すように、ボルトや釘等の固定具２が打入されて、胴縁や下地板等の壁下地３０に取り付けられることで、建物の外壁構造を構成する。建物としては、特に限定されないが、例えば工場、倉庫、体育館、スーパーマーケット、航空施設等である。
【００２０】
本実施形態の外装パネル１００は、複数条の溝部３を形成した角波板１である。複数条の溝部３は、互いに平行に間隔をあけて配置される。角波板１は、例えば、1枚の鋼板を折り曲げ加工することによって形成される。角波板１は、例えば９１４〜９１７ｍｍ幅の鋼板を、ロール成形加工機等によって折り曲げ加工して、働き幅Ｌ１が例えば７２０〜７５０ｍｍとなるように形成される。鋼板は、厚みが例えば０．４ｍｍ〜０．６ｍｍである。鋼板としては、カラー亜鉛鉄板、フッ素樹脂塗装鋼板、アルミメッキ鋼板、ガンバリウム鋼板、塩ビ鋼板、耐酸被覆鋼板、カラーアルミ、カラーステンレス鋼板等が挙げられる。なお、角波板１は、予め折れ曲がった状態で成形されるものであってもよい。また、角波板１は、金属以外の他の材質のものであってもよい。
【００２１】
角波板１は、溝部３の長手方向が上下方向（縦方向）を向くように、起立姿勢で壁下地３０に取り付けられる。以下、この溝部３が縦向きの取付状態を基準として、壁下地３０に対して角波板１が位置する側を屋外側とし、その逆側を屋内側とし、角波板１を屋内側から視たときの左右方向を基にして、各構成についての説明を行う。
【００２２】
本実施形態の外装パネル１００（角波板１）は、長手方向（上下方向）の全長に亘って断面形状が同じである。
【００２３】
溝部３は、屋内側に凹ませた溝である。溝部３は、角波板１の上端から下端に亘って形成されている。各溝部３は、隣接する他の溝部３とフラットな平坦部４を介して連続する。
【００２４】
複数条の溝部３のうちの少なくとも１つの溝部３が、固定具２が打入されて壁下地３０に取り付けられる第一溝部５である。そして、複数条の溝部３のうち第一溝部５以外の溝部３が、壁下地３０に当てられ、且つ固定具２が打入されることのない第二溝部９である。本実施形態の角波板１は、図１（ａ）に示すように、第一溝部５を１つ備え、その左右両側に第二溝部９をそれぞれ１つずつ備える。
【００２５】
第一溝部５は、底壁５０と、側壁５１，５２とを備える。底壁５０は、平坦部４に対して屋内側に後退した位置に形成され、壁下地３０に対して略平行に設けられる。底壁５０は、底壁５０の屋内側面が壁下地３０に重ねられて、固定具２が打入される。
【００２６】
第一溝部５の両側壁５１，５２は、底壁５０からの高さを互いに相違させている。本実施形態では、左側の側壁５１が、右側の側壁５２よりも、底壁５０からの高さが高いものとなっている。
【００２７】
そして、本実施形態では、両側壁５１，５２は、角波板１の表面側ほど、互いに離れるように傾斜させて設けられる。言い換えると、両側壁５１，５２は、底壁５０から離れるほど互いに離れるように傾斜させて設けられる。本実施形態では、左側の側壁５１は、底壁５０の左端から屋外側に向けて左斜めに突出しており、右側の側壁５２は、底壁５０の右端から屋外側に向けて右斜めに突出している。つまり、第一溝部５は、開口幅Ｌ２が底壁５０の左右幅Ｌ３より大きく、左側の側壁５１の屋外側への突出長さＬ４が右側の側壁５２の屋外側への突出長さＬ５よりも長い。
【００２８】
第一溝部５の底壁５０には、第一溝部５の長手方向に沿って、複数の固定具２が互いに間隔をおいて打入される。なお、第一溝部５の底壁５０には、固定具２が１つだけ打入されてもよい。
【００２９】
固定具２は、図１（ｂ）に示すように、頭部２３と、これよりも径の小さい軸部２１とを備える。固定具２は、頭部２３の下端部に大径の鍔部２２を備える。なお、鍔部２２は、固定具２とは別部材のワッシャであってもよい。固定具２は、金属製である。固定具２の鍔部２２の外径Ｌ６は、底壁５０の左右幅Ｌ３よりも短い。
【００３０】
第二溝部９は、底壁９０と、両側壁９１、９２とを備える。底壁９０は、平坦部４に対して屋内側に後退した位置に形成され、壁下地３０に対して略平行である。第二溝部９の底壁９０は、第一溝部５の底壁５０と屋内外方向の位置が同一の平面上に位置する。そのため、第二溝部９は、底壁９０の屋内側面が壁下地３０に重ねられる。
【００３１】
第二溝部９の両側壁９１、９２は、底壁９０からの高さを互いに相違させている。本実施形態では、第二溝部９における高い方の側壁が位置する側は、第一溝部５における高い方の側壁が位置する側と同じである。つまり、第二溝部９は、左側の側壁９１が、右側の側壁９２よりも、底壁９０からの高さが高いものとなっている。
【００３２】
そして、本実施形態では、両側壁９１、９２は、角波板１の表面側ほど、互いに離れるように傾斜させて設けられる。言い換えると、両側壁９１、９２は、底壁９０から離れるほど互いに離れるように傾斜させて設けられる。左側の側壁９１が、底壁９０の左端から屋外側に向けて左斜めに突出しており、右側の側壁９２が、底壁９０の右端から屋外側に向けて右斜めに突出している。なお、両側壁９１、９２のうち一方だけ底壁９０に対して直交するように設けてもよい。ここで、左側の側壁９１の屋外側への突出長さは、第一溝部５の左側の側壁５１の屋外側への突出長さＬ４と同じであり、右側の側壁９２の屋外側への突出長さは、第一溝部５の右側の側壁５２の屋外側への突出長さＬ５と同じである。つまり、第二溝部９は、左側の側壁９１の屋外側への突出長さが、右側の側壁９２の屋外側への突出長さよりも長い。また、第二溝部９の底壁９０の左右幅Ｌ８は、第一溝部５の底壁５０の左右幅Ｌ３と同じであり、第二溝部９の開口幅Ｌ７よりも小さい。
【００３３】
本実施形態の角波板１では、第一溝部５は、その開口幅Ｌ２が、第二溝部９の開口幅Ｌ７よりも短くなるように形成されている。つまり、本実施形態の角波板１は、固定具２が打入される第一溝部５では、開口幅Ｌ２を狭くして、打入された固定具２を目立ちにくくし、固定具２が打入されることのない第二溝部９では、開口幅Ｌ７を広くして、角波板１の働き幅Ｌ１を広く取れるようにしている。
【００３４】
本実施形態の角波板１は、角波板１の一方の側端部（左端部）に第一段部６を備え、角波板１の他方の側端部（右端部）に第二段部７を備える。隣接する２枚の角波板１を壁下地３０に取り付けた状態で、図４に示すように、一方の角波板１の第一段部６と他方の角波板１の第二段部７とは重なって、第一溝部５と略同形状の溝を形成することができる。以下では、この第一段部６と第二段部７とで形成される溝を、合成溝８という。
【００３５】
第一段部６は、側壁６２と、底壁６０とを備える。底壁６０は、側壁６２の屋外側端に連続する平坦部４よりも、屋内側に後退した位置に形成されている。底壁６０は、壁下地３０に対して略平行に設けられ、第一溝部５の底壁５０と屋内外方向の位置が同一の平面上に位置する。側壁６２は、底壁６０の右端から、屋外側に向けて右斜めに突出している。つまり、側壁６２は、屋外側ほど右側に位置するように傾斜させて設けられる。本実施形態では、側壁６２は、第一溝部５の右側の側壁５２と略平行に設けられる。側壁６２の屋外側への突出長さは、第一溝部５の右側の側壁５２の屋外側への突出長さＬ５と同じである。底壁６０の左端部には、屋外側に向けて山型に折れ曲がった凸部６３を備える。
【００３６】
また、第二段部７は、側壁７１と、底壁７０とを備える。底壁７０は、側壁７１の屋外側端に連続する平坦部４よりも、屋内側に後退した位置に形成されている。底壁７０は、壁下地３０に対して略平行に設けられ、溝部３の底壁５０と屋内外方向の位置が同一の平面上に位置する。側壁７１は、底壁７０の左端から、屋外側に向けて左斜めに突出している。つまり、側壁７１は、屋外側ほど左側に位置するように傾斜させて設けられる。本実施形態では、側壁７１は、第一溝部５の左側の側壁５１と略平行に設けられる。側壁７１の屋外側への突出長さは、第一溝部５の左側の側壁５１の屋外側への突出長さＬ４と同じである。底壁７０の右端部には屋外側に向けて山型に折れ曲がった凸部７３を備える。
【００３７】
左右に隣接する２枚の角波板１の側端部同士を重ねることで、つまり、第一段部６の底壁６０と、第二段部７の底壁７０とを重ねることで、合成溝８が形成される。つまり、合成溝８の左側の側壁は、第二段部７の側壁７１であり、合成溝８の右側の側壁は、第一段部６の側壁６２であり、合成溝８の底壁は、第一段部６の底壁６０及び第二段部７の底壁７０である。
【００３８】
合成溝８は、第一溝部５と同様に、左側の側壁７１が右側の側壁６２よりも高いものである。底壁６０と底壁７０との重ね代は、合成溝８の開口幅が第一溝部５の開口幅Ｌ２と同じとなるように決められる。なお、合成溝８はその開口幅が、第一溝部５の開口幅Ｌ２とは異なるように形成してもかまわない。
【００３９】
第一段部６の底壁６０は、図４（ａ）に示すように第二段部７の底壁７０の屋外側に重ねるようにしてもよいし、図４（ｂ）に示すように第二段部７の底壁７０の屋内側に重ねるようにしてもよい。第一段部６と第二段部７とは、屋内外に重ねられた底壁６０及び底壁７０に、固定具２が打入されることで連結される（図３参照）。図４（ａ）に示すように、第一段部６の底壁６０を第二段部７の底壁７０の屋外側に重ねて固定具２を屋外側から打入した場合、屋内側に重ねられた凸部７３は、壁下地３０と底壁６０とで挟まれて平坦化される。またこのとき、屋外側に位置する凸部６３と底壁７０との間には減圧空間が形成される。
【００４０】
このように減圧空間を設けるようにしたことで、暴風雨時などに第一段部６の底壁６０の先端（左端）と、第二段部７の側壁７１及び底壁７０でなされる角部分との間の隙間から第一段部６の底壁６０と第二段部７の底壁７０との間に雨水が浸入しても、減圧空間を通過する際に、雨水の運動エネルギを減衰させて、第二段部７の底壁７０より屋内側に雨水が浸入することを抑制することができる。また、減圧空間には、雨水が一時的に保水されることになり、この空間を介して下方に排水することができ、これによっても、第二段部７の底壁７０より屋内側に雨水が浸入することを抑制することができる。
【００４１】
また、図４（ｂ）に示すように、第一段部６の底壁６０を第二段部７の底壁７０の屋内側に重ねて固定具２を屋外側から打入した場合、屋内側に重ねられた凸部６３は、壁下地３０と底壁７０とで挟まれて平坦化される。またこのとき、屋外側に位置する凸部７３と底壁６０との間には減圧空間が形成される。このように減圧空間を設けるようにしたことで、第一段部６の底壁６０より屋内側に雨水が浸入することを抑制することができる。
【００４２】
なお、第一段部６の底壁６０と第二段部７の底壁７０とは屋内外に重ならないように、壁下地３０にそれぞれ取り付けてもかまわない。その場合、底壁６０と底壁７０との隙間には目地材を取り付けて防水処理を行うことが好ましい。
【００４３】
なお、必要に応じて、左右横並びの２枚の角波板１は、第一段部６の底壁６０同士を重ね合わせて連結するようにしてもよいし、第二段部７の底壁７０同士を重ね合わせて連結するようにしてもよい。
【００４４】
本実施形態の角波板１では、図１（a）に示すように、第一段部６、平坦部４、第二溝部９、平坦部４、第一溝部５、平坦部４、第二溝部９、平坦部４、第二段部７がこの順に連続して形成されている。各平坦部４は、底壁５０，９０に対して一様に傾斜しており、互いに平行である。
【００４５】
以上説明した本実施形態の外装パネル１００は、底壁５０，９０，６０，７０を壁下地３０に当てて重ねた状態で、固定具２を底壁５０へ屋外側から打入することで、壁下地３０に取り付けられる。そして、壁下地３０に取り付けた外装パネル１００の第一段部６の底壁６０に、他の外装パネル１００の第二段部７の底壁７０を重ねて、第一溝部５と略同形状の合成溝８を形成して、この合成溝８の底壁に固定具２を打入することで、隣接する２枚の外装パネル１００は連結した状態で、壁下地３０に取り付けられる。
【００４６】
以上のようにして複数の外装パネル１００を左右に連結させながら壁下地３０に取り付けることで、本実施形態の外壁構造が形成される。
【００４７】
このようにして形成された本実施形態の外壁構造では、複数条の溝部３（第一溝部５及び第二溝部９）及び合成溝８はいずれも、両側壁の底壁からの高さが互いに相違しており、高い方の側壁が位置する側が互いに同じとなっている。そのため、本実施形態の外壁構造では、外装パネル１００を、屋外側の浅い角度（約１５〜２０度以下）から視たとき（図２（ｂ）に示す太陽の位置から視たとき）に、溝部３（第一溝部５及び第二溝部９）及び合成溝８が略見えなくなって、外装パネル１００がフラット感のある外観となる。このとき、固定具２が打入された第一溝部５及び合成溝８が略見えなくなることで、本実施形態の外壁構造では、固定具２の外部への露出を抑えることができて、美観性に優れたものとなる。しかも、本実施形態の外壁構造では、固定具２の露出を抑えるための部材が、角波板１以外に別途必要とならず、簡単な構成で、固定具２の外部への露出を抑制できるものとなっている。
【００４８】
また、本実施形態の外壁構造では、固定具２が打入される第一溝部５及び合成溝８を、一方の側壁だけ他方の側壁よりも底壁からの高さが高くなるように突出させることによって、このように一方の側壁を突出させないものと比べて、溝底に位置する固定具２の頭部２３が露出する範囲Ｒ（図２（ａ）参照）を狭めて、固定具２の外部への露出を抑えることができる。なお、範囲Ｒは例えば５５度である。
【００４９】
また、本実施形態の外壁構造では、複数条の溝部３（第一溝部５及び第二溝部９）はいずれも両側壁が、角波板１の表面側ほど互いに離れるように傾斜させて設けられている。そして、第一段部６及び第二段部７はいずれも側壁が、角波板１の表面側ほど角波板１の左右中央部側に位置するように傾斜させて設けられている。そのため、本実施形態の外装パネル１００は、図５に示すように、搬送時、伏せ姿勢で複数枚上下に重ね合わせて搬送することができる。なお、この搬送についての説明では、伏せ姿勢の外装パネル１００を基準として、上下左右を設定して、説明を行う。
【００５０】
図５に示すように、上下に積み重なる２枚の外装パネル１００は、第一段部６同士が上下に重なり、第一溝部５同士が上下に重なり、第二溝部９同士が上下に重なり、第二段部７同士が上下に重なり、平坦部４同士が上下に重なる。以上のように本実施形態の外装パネル１００は、表裏及び左右を同じ向きにした状態で、上下に積み重ねることができるため、効率良く積み重ねできるものとなっている。
【００５１】
図３には、本実施形態の外装パネル１００の建物への取付例を示している。この取付例では、建物の出入口２００の両側にそれぞれ複数の角波板１が取り付けられている。各角波板１は、第一溝部５における両側壁５１、５２のうち、底壁５０からの高さが高い方の側壁５１が出入口２００側に位置するように、壁下地３０に取り付けられている。ここで、各角波板１は、第二溝部９における両側壁９１、９２のうち、底壁９０からの高さが高い方の側壁９１が出入口２００側に位置するように、壁下地３０に取り付けられている。また、各角波板１は、合成溝８における両側壁６２，７１のうち、底壁からの高さが高い方の側壁７１が出入口２００側に位置するように、壁下地３０に取り付けられている。
【００５２】
つまり、この取付例では、出入口２００の右側では、図１（ａ）に示す角波板１が壁下地３０に取り付けられており、出入口２００の左側では、図１（ａ）に示す角波板１を左右逆向きに反転させた角波板１が壁下地３０に取り付けられている。
【００５３】
そのため、この取付例では、建物の出入口２００の正面から建物内に入る人Ｈに対して、高い方の側壁が第一溝部５及び合成溝８内の固定具２を隠しやすく、これにより、錆びた固定具２が人Ｈに視えることを抑制して、美観性に優れたものとなっている。また、高い方の側壁が第二溝部９内も隠しやすく、これにより、外装パネル１００はフラット感のある外観となっている。
【００５４】
また、人Ｈ側のみ側壁の高さを高くして、反対側の側壁の高さは低く抑えているため、両側壁の高さを高くした場合と比べて、外装パネル１００の働き幅を広く採ることができる。
【００５５】
なお、上述した本実施形態の外装パネル１００は、上下方向に複数枚連結する場合、上方に位置する外装パネル１００の下端部と、下方に位置する外装パネル１００の上端部とが屋内外方向に重ねられる。このとき、第一溝部５同士、第二溝部９同士、合成溝８同士、及び平坦部４同士を屋内外方向に重ねられる。なお、上下に隣接する外装パネル１００は、屋内外方向に積み重ねず、目地材を介して連結するようにしてもよい。
【００５６】
また、上述した実施形態の外壁構造では、外装パネル１００を各溝部３の長手方向が上下方向を向くように壁下地３０に縦葺きする例について説明したが、外装パネル１００を各溝部３の長手方向が横方向（左右方向）を向くように壁下地３０に横葺きしてもよい。
【００５７】
続いて、図６に示す本発明の第二実施形態の外装パネル１００について説明する。第二実施形態の外装パネル１００は、第一実施形態の外装パネル１００とは、両側端部の形状が異なる。以下では、第二実施形態の外装パネル１００について、第一実施形態の外装パネル１００と同様の構成については、図中に同じ符号を入れて説明を省略し、異なる構成について詳しく説明する。
【００５８】
第二実施形態の外装パネルでは、図６（ａ）に示すように、第一段部６の底壁６０の左端部には、屋外側に向けて山型に折れ曲がった凸部６３を備える。そして、第二段部７の底壁７０の右端部には、屋外側に向けて突出するとともに溝内側（左方）に向けて山型に折れ曲がった押し当て部７４を備える。押し当て部７４は、第二段部７の底壁７０の屋外側に第一段部６の底壁６０を重ねる際に、第一段部６の側壁６２の屋内側面に当たって、第一段部６の底壁６０の左端を第二段部７の側壁７１と底壁７０とでなす角部分の屋外側面に接触するようにガイドする。
【００５９】
第二段部７の底壁７０の屋外側に第一段部６の底壁６０を重ねて、その左右方向の中央部に固定具２を打入した際に、凸部６３と底壁７０との間には第一減圧空間が形成され、押し当て部７４と底壁７０と側壁６２とで囲まれる箇所に第二減圧空間が形成される。
【００６０】
このように第一及び第二減圧空間を設けるようにしたことで、暴風雨時などに第一段部６の底壁６０の先端（左端）と第二段部７の側壁７１との間の隙間から第一段部６の底壁６０と第二段部７の底壁７０との間に雨水が浸入しても、第一及び第二減圧空間を通過する際に、雨水の運動エネルギを減衰させて、第二段部７の底壁７０より屋内側に雨水が浸入することを抑制することができる。また、第一及び第二減圧空間には、雨水が一時的に保水されることになり、この空間を介して下方に排水することができ、これによっても、第二段部７の底壁７０より屋内側に雨水が浸入することを抑制することができる。
【００６１】
なお、第二実施形態の外装パネル１００は、図６（ｂ）に示すように、第二段部７の底壁７０の右端部に、屋外側に向けて山型に折れ曲がった凸部７５を備え、第一段部６の底壁６０の左端部に、屋外側に向けて突出するとともに溝内側（右方）に向けて山型に折れ曲がった押し当て部６４を備えるようにしてもよい。
【００６２】
この場合、第一段部６の底壁６０の屋外側に第二段部７の底壁７０を重ねる際に、押し当て部６４は、第二段部７の側壁７１の屋内側面に当たって、第二段部７の底壁７０の右端を第一段部６の側壁６２と底壁６０とでなす角部分の屋外側面に接触するようにガイドする。重なった第二段部７の底壁７０と第一段部６の底壁６０の左右方向の中央部に固定具２を屋外側から打入することで、凸部７５と底壁６０との間に第一減圧空間が形成され、押し当て部６４と底壁６０と側壁７１とで囲まれる箇所に第二減圧空間が形成される。
【００６３】
このように第一及び第二減圧空間を設けるようにしたことで、第一段部６の底壁６０より屋内側に雨水が浸入することを抑制することができる。
【００６４】
続いて、図７に示す本発明の第三実施形態の外装パネル１００について説明する。第三実施形態の外装パネル１００は、第一実施形態の外装パネル１００とは、両側端部の形状が異なる。以下では、第三実施形態の外装パネル１００について、第一実施形態の外装パネル１００と同様の構成については、図中に同じ符号を入れて説明を省略し、異なる構成について詳しく説明する。
【００６５】
第三実施形態の外装パネル１００では、図７（ａ）に示すように、第一段部６の底壁６０の左右方向の中央部には、屋内側に向けて谷型に折れ曲がった打入用溝６５を備える。そして、底壁６０のうち打入用溝６５と側壁６２との間の部位には屋外側に向けて山型に折れ曲がった突部６６を備える。そして、底壁６０の左端には、屋外側に向けて弧状に折れ曲がった位置決め突起６７を備える。
【００６６】
そして、第二段部７の底壁７０の左右方向の中央部には、屋内側に向けて谷型に折れ曲がった打入用溝７６を備える。そして、底壁７０のうち打入用溝７６と側壁７１の間の部位には屋外側に向けて山型に折れ曲がった突部７７を備える。そして、底壁７０の右端には、屋外側に向けて弧状に折れ曲がった位置決め突起７８を備える。
【００６７】
第二段部７の底壁７０と第一段部６の底壁６０は、図７（ａ）に示すように、底壁７０を底壁６０の屋内側に重ねてもよいし、図７（ｂ）に示すように、底壁６０を底壁７０の屋内側に重ねてもよい。
【００６８】
図７（ａ）に示すように、底壁７０を底壁６０の屋内側に重ねる際には、位置決め突起６７が第二段部７の側壁７１と底壁７０とでなされる角部分の屋外側に嵌まり込み、位置決め突起７８の屋外側に第一段部６の側壁６２と底壁６０とでなされる角部分が嵌まり込んで位置決めがなされる。この位置決めがなされた状態で、打入用溝６５と打入用溝７６とは屋内外に重なる。この重なった打入用溝６５、７６に固定具２が屋外側から打入される。ここで打入用溝６５、７６は、固定具２を打ち込むための目印となる。
【００６９】
このように固定具２を打入した状態で、底壁７０のうち突部７７と側壁７１との間の部位と底壁６０の左端部との間に第三減圧空間が形成され、突部６６と底壁７０との間に第四減圧空間が形成される。
【００７０】
このように第三及び第四減圧空間を設けるようにしたことで、暴風雨時などに第一段部６の底壁６０の先端（左端）と第二段部７の側壁７１との間の隙間から第一段部６の底壁６０と第二段部７の底壁７０との間に雨水が浸入しても、第三及び第四減圧空間を通過する際に、雨水の運動エネルギを減衰させて、第二段部７の底壁７０より屋内側に雨水が浸入することを抑制することができる。また、第三及び第四減圧空間には、雨水が一時的に保水されることになり、この空間を介して下方に排水することができ、これによっても、第二段部７の底壁７０より屋内側に雨水が浸入することを抑制することができる。
【００７１】
図７（ｂ）に示すように、底壁７０を底壁６０の屋外側に重ねる際には、位置決め突起７８が第一段部６の側壁６２と底壁６０とでなされる角部分の屋外側に嵌まり込み、位置決め突起６７の屋外側に第二段部７の側壁７１と底壁７０とでなされる角部分が嵌まり込んで位置決めがなされる。この位置決めがなされた状態で、打入用溝６５と打入用溝７６とは屋内外に重なる。この重なった打入用溝６５、７６に固定具２が屋外側から打入される。
【００７２】
このように固定具２を打入した状態で、底壁６０のうち突部６６と側壁６２との間の部位と底壁７０の右端部の間には第三減圧空間が形成され、突部７７と底壁６０との間には第四減圧空間が形成される。このように第三及び第四減圧空間を設けるようにしたことで、第一段部６の底壁６０より屋内側に雨水が浸入することを抑制することができる。
【００７３】
続いて、図８に示す本発明の第四実施形態の外装パネル１００について説明する。第四実施形態の外装パネル１００は、第一実施形態の外装パネル１００において第一溝部５と第二溝部９とを同大同形に設けたものである。以下では、第四実施形態の外装パネル１００について、第一実施形態の外装パネル１００と同様の構成については、図中に同じ符号を入れて説明を省略し、異なる構成について詳しく説明する。以下では、第四実施形態の外装パネル１００について、縦葺きで用いた例について説明するが、横葺きで用いてもよい。
【００７４】
図８には、外装パネル１００の複数条の溝部３（第一溝部５及び第二溝部９）全てを、第一実施形態の外装パネル１００の第一溝部５と同大同形に形成した例が示されている。なお、外装パネル１００の複数条の溝部３（第一溝部５及び第二溝部９）全ては、第一実施形態の外装パネル１００の第二溝部９と同大同形に形成されたものであってもよい。
【００７５】
第四実施形態の外装パネル１００は、外装パネル１００の複数条の溝部３（第一溝部５及び第二溝部９）全てを同大同形に形成することで、製造しやすいものとなっている。
【００７６】
なお、第四実施形態の外装パネル１００の両側端部は、第二実施形態の外装パネル１００の両側端部と同形状であってもよいし、あるいは、第三実施形態の外装パネル１００の両側端部と同形状であってもよい。
【００７７】
続いて、図９に示す本発明の第五実施形態の外装パネル１００について説明する。第五実施形態の外装パネル１００は、第一実施形態の外装パネル１００とは、第一溝部５の形状が異なる。以下では、第五実施形態の外装パネル１００について、第一実施形態の外装パネル１００と同様の構成については、図中に同じ符号を入れて説明を省略し、異なる構成について詳しく説明する。第五実施形態の外装パネル１００は、縦葺きで用いられる。
【００７８】
第五実施形態の外装パネル１００では、第一溝部５の両側壁５１，５２を、角波板１の表面側ほど互いに近づくように傾斜させて設けている。言い換えると、両側壁５１，５２は、底壁５０から離れるほど互いに近づくように傾斜させて設けられる。本実施形態では、左側の側壁５１は、底壁５０の左端から屋外側に向けて右斜めに突出しており、右側の側壁５２は、底壁５０の右端から屋外側に向けて左斜めに突出している。なお、両側壁５１、５２のうち一方だけ底壁５０に対して直交するように設けてもよい。
【００７９】
第五実施形態の外装パネル１００では、第一溝部５は、開口幅Ｌ２が底壁５０の左右幅Ｌ３より小さい。なお、第五実施形態の外装パネル１００においても、第一溝部５の開口幅Ｌ２は、第二溝部９の開口幅Ｌ７よりも小さい。
【００８０】
第五実施形態の外装パネル１００では、図１０に示すように、第一段部６の底壁６０の左端に、屋外側に向けて円弧状に突出する位置決め突起６７を備えている。また、第二段部７の底壁７０の右端に、屋外側に向けて円弧状に突出する位置決め突起７８を備えている。
【００８１】
隣接する２枚の外装パネル１００は、図１０（ａ）に示すように、第一段部６の底壁６０と側壁６２とでなされる奥まった鋭角部分に、第二段部７のエッジ部分である位置決め突起７８が嵌まり込んで連結される。このとき、第一段部６のエッジ部分である位置決め突起６７の屋外側には、第二段部７の側壁７１と底壁７０とでなされる角部分が嵌まり込む。
【００８２】
また、隣接する２枚の外装パネル１００は、図１０（ｂ）に示すように、第二段部７の底壁７０と側壁７１とでなされる奥まった鋭角部分に、第一段部６のエッジ部分である位置決め突起６７を嵌まり込ませて連結されるようにしてもよい。このとき、第二段部７のエッジ部分である位置決め突起７８の屋外側には、第一段部６の底壁６０と側壁６２とでなされる角部分が嵌まり込む。上述のように連結することで、角波板１のエッジを目立ちにくくすることができる。
【００８３】
以上説明した第五実施形態の外装パネル１００は、第一実施形態と同様に、第一溝部５の底壁５０と合成溝８の底壁に固定具２が打入されて、壁下地３０に複数枚取り付けられる。このようにして形成される第五実施形態の外壁構造では、複数条の溝部３（第一溝部５及び第二溝部９）及び合成溝８はいずれも、両側壁の底壁からの高さが互いに相違しており、高い方の側壁が位置する側が互いに同じとなっている。
【００８４】
そのため、第五実施形態の外壁構造では、外装パネル１００を、屋外側の浅い角度（約１５〜２０度以下）から視たときに、溝部３（第一溝部５及び第二溝部９）及び合成溝８が略見えなくなって、外装パネル１００がフラット感のある外観となる。このとき、固定具２が打入された第一溝部５及び合成溝８が略見えなくなることで、第五実施形態の外壁構造では、固定具２の外部への露出を抑えることができて、美観性に優れたものとなる。しかも、第五実施形態の外壁構造では、固定具２の露出を抑えるための部材が、角波板１以外に別途必要とならず、簡単な構成で、固定具２の外部への露出を抑制できるものとなっている。
【００８５】
また、第五実施形態の外壁構造では、第一溝部５の両側壁５１，５２及び合成溝８の両側壁を、角波板１の表面側ほど互いに近づくように傾斜させて設けている。そのため、第五実施形態の外壁構造では、第一溝部５及び合成溝８は、第二溝部９に比べて側壁が影になりやすく、つまりは溝内が暗くなりやすい。これにより、第五実施形態の外壁構造では、第一溝部５及び合成溝８に打入された固定具２を、第一実施形態の外壁構造に比べてさらに目立ちにくくできるものとなっている。
【００８６】
また、第五実施形態の外壁構造では、第一溝部５及び合成溝８の開口幅Ｌ２を、第二溝部９の開口幅Ｌ７よりも狭く設けることによっても、打入された固定具２の外部への露出を抑制している。また、固定具２を取り付けることのない溝部３（第二溝部９）では開口幅Ｌ７を広く設けることで、外装パネル１００の働き幅Ｌ１を広く採ることができる。これにより、外装パネル１００を１枚製造するために必要な材料量を抑えて、製造コストを抑えることができる。
【００８７】
また、第五実施形態の外壁構造では、第一溝部５及び合成溝８の両側壁の底壁からの高さを相違させて、両側壁を角波板１の表面側ほど互いに近づくように傾斜させて設けることによって、固定具２を第一溝部５内や合成溝８内に挿入する際に、固定具２を底壁に対して傾けて差し込むこともできて、両側壁が邪魔になりにくく、固定具２の挿入がしやすいものとなっている。
【００８８】
第五実施形態の外装パネル１００は、図１１に示すように、搬送時、伏せ姿勢で複数枚上下に重ね合わせて搬送することができる。なお、この搬送についての説明では、伏せ姿勢の外装パネル１００を基準として、上下左右を設定して、説明を行う。図１１に示すように、複数枚の外装パネル１００は、１枚毎に上下及び左右にひっくり返し、左右方向の端部を合わせて、上下に重ねられる。このとき、上下に隣接する２枚の外装パネル１００は、第一段部６と第二段部７とが上下に重なり、第一溝部５同士が上下に重なり、第二溝部９同士が上下に重なり、平坦部４の屋外側面同士が上下に重なる。そして、このように重ねた一対の外装パネル１００を、左右方向の端部をずらした状態で上下に複数対重ねる。図１１に示すように積み重ねることで、外装パネル１００の平坦部４の屋外側面に、第一溝部５や第二溝部９の角部が接触することによる屋外側面の傷つきを抑制できる。
【００８９】
第五実施形態の外装パネル１００も、第一実施形態の外装パネル１００と同様に、図３に示す建物への取付例のように、建物の出入口２００の両側に取り付けられる。
【００９０】
なお、上述した第五実施形態の外装パネル１００は、上下方向に複数枚連結する場合、上下に隣接する外装パネル１００は、屋内外方向に積み重ねず、目地材を介して連結される。
【００９１】
なお、第五実施形態の外装パネル１００の両側端部は、第一実施形態の外装パネル１００の両側端部と同形状であってもよいし、第二実施形態の外装パネル１００の両側端部と同形状であってもよいし、第三実施形態の外装パネル１００の両側端部と同形状であってもよい。
【００９２】
続いて、図１２に示す本発明の第六実施形態の外装パネル１００について説明する。第六実施形態の外装パネル１００は、第五実施形態の外装パネル１００において第二溝部９を第一溝部５と同大同形に形成したものである。以下では、第六実施形態の外装パネル１００について、第五実施形態の外装パネル１００と同様の構成については図中に同じ符号を付けて説明を省略し、異なる構成について詳しく説明する。第六実施形態の外装パネル１００は、縦葺きで用いられる。
【００９３】
第六実施形態の外装パネル１００では、第二溝部９は、両側壁９１、９２が底壁９０から離れるほど互いに近づくように傾斜させて設けられる。そのため、第二溝部９は、側壁９１，９２が影になりやすく、つまりは溝内が暗くなりやすい。
【００９４】
これにより、第六実施形態の外壁構造では、第一溝部５及び合成溝８に打入された固定具２だけでなく、固定具２の打入されない第二溝部９も目立ちにくくできるものとなっている。
【００９５】
また、第六実施形態の外装パネル１００は、外装パネル１００の複数条の溝部３（第一溝部５及び第二溝部９）全てを同大同形に形成することで、製造しやすいものとなっている。
【００９６】
なお、第六実施形態の外装パネル１００の両側端部は、第一実施形態の外装パネル１００の両側端部と同形状であってもよいし、第二実施形態の外装パネル１００の両側端部と同形状であってもよいし、第三実施形態の外装パネル１００の両側端部と同形状であってもよい。
【００９７】
続いて、図１３に示す本発明の第七実施形態の外装パネル１００について説明する。第七実施形態の外装パネル１００では、第二溝部９と各平坦部４が、第五実施形態の外装パネル１００とは異なる。以下では、第七実施形態の外装パネル１００について、第五実施形態の外装パネル１００と同様の構成については図中に同じ符号を付けて説明を省略し、異なる構成について詳しく説明する。第七実施形態の外装パネル１００は、縦葺きで用いられる。
【００９８】
第七実施形態の外装パネル１００では、第二溝部９における高い方の側壁が位置する側が、第一溝部５における高い方の側壁が位置する側と異なるように設けられている。すなわち、第七実施形態の外装パネル１００では、第二溝部９の右側の側壁９１が、左側の側壁９２よりも、底壁９０からの高さが高いものとなっている。
【００９９】
そのため、第七実施形態の外装パネル１００では、第二溝部９の右側の側壁９１の屋外側への突出長さが、第二溝部９の左側の側壁９２の屋外側への突出長さよりも長い。ここで、第二溝部９の右側の側壁９１の屋外側への突出長さは、第一溝部５の左側の側壁５１の屋外側への突出長さＬ４と同じであり、第二段部７の側壁７１の屋外側への突出長さとも同じである。また、第二溝部９の左側の側壁９２の屋外側への突出長さは、第一溝部５の右側の側壁５２の屋外側への突出長さＬ５と同じであり、また第一段部６の側壁６２の屋外側へと突出長さとも同じである。
【０１００】
これにより、第七実施形態の外装パネル１００では、第一溝部５の左側に連続する平坦部４が、第一溝部５の右側に連続する平坦部４よりも屋外側に位置する。そして、第二段部７の左側に連続する平坦部４が、第一段部６の右側に連続する平坦部４よりも屋外側に位置する。各平坦部４は、互いに平行であり、且つ底壁５０，９０に対して平行である。そして、各平坦部４は、交互に屋内外方向に段違いとなる。第七実施形態では、第一溝部５の左側に連続する平坦部４と、第二段部７の左側に連続する平坦部４とは、屋内外方向の位置が同一の平面上に位置する。そして、第一溝部５の右側に連続する平坦部４と、第一段部６の右側に連続する平坦部４とは、屋内外方向の位置が同一の平面上に位置する。
【０１０１】
以上説明した第七実施形態の外装パネル１００は、図１３に示すように、第一溝部５の底壁５０と合成溝８の底壁に固定具２が打入されて、壁下地３０に複数枚取り付けられる。
【０１０２】
このようにして形成される第七実施形態の外壁構造においても、固定具２が打入される第一溝部５及び合成溝８はいずれも、両側壁の底壁からの高さが互いに相違しており、高い方の側壁が位置する側が互いに同じとなっている。そのため、第七実施形態の外壁構造では、外装パネル１００を、屋外側の浅い角度（約１５〜２０度以下）から視たときに、第一溝部５及び合成溝８が略見えなくなる。そして、このとき、外装パネル１００は、横並びの複数の平坦部４が、交互に凹凸を繰り返す大柄で陰影のある外観となる。このとき、固定具２が打入された第一溝部５及び合成溝８が略見えなくなることで、第七実施形態の外壁構造では、固定具２の外部への露出を抑えることができて、美観性に優れたものとなる。しかも、第七実施形態の外壁構造では、固定具２の露出を抑えるための部材が、角波板１以外に別途必要とならず、簡単な構成で、固定具２の外部への露出を抑制できるものとなっている。
【０１０３】
また、第七実施形態の外装パネル１００は、図１４に示すように、搬送時、伏せ姿勢で複数枚上下に重ね合わせて搬送することができる。なお、この搬送についての説明では、伏せ姿勢の外装パネル１００を基準として、上下左右を設定して、説明を行う。
【０１０４】
図１４に示すように、外装パネル１００は、複数枚上下に重ねる際に、第一溝部５の左側の側壁５１と、その右側に位置する第二溝部９の右側の側壁９１との間が嵌め合わせ用の嵌合部として機能する。これにより、第七実施形態の外装パネル１００は、上下に複数枚重ねやすく、また重ねた状態で左右方向へのずれの少ないものとなっている。
【０１０５】
また、第七実施形態の外装パネル１００では、平坦部４の屋外側面同士が接触せずに離れた状態で積み重ねできるので、この屋外側面が搬送の際に傷つくことを抑制できる。ここで、外装パネル１００は、複数枚上下に重ねた後、途中から左右方向にひっくり返して重ねていくようにすることで、バランスよく積み重ねることができる。このように左右ひっくり返して重ねる場合にも、上述の嵌合部が機能する。
【０１０６】
第七実施形態の外装パネル１００も、第五実施形態の外装パネル１００と同様に、図３に示す建物への取付例のように、建物の出入口２００の両側に取り付けられる。
【０１０７】
なお、上述した第七実施形態の外装パネル１００は、上下方向に複数枚連結する場合、上下に隣接する外装パネル１００は、屋内外方向に積み重ねず、目地材を介して連結される。
【０１０８】
なお、第七実施形態の外装パネル１００の両側端部は、第一実施形態の外装パネル１００の両側端部と同形状であってもよいし、第二実施形態の外装パネル１００の両側端部と同形状であってもよいし、第三実施形態の外装パネル１００の両側端部と同形状であってもよい。
【０１０９】
続いて、図１５に示す本発明の第八実施形態の外装パネル１００について説明する。第八実施形態の外装パネル１００は、第七実施形態の外装パネル１００における第二溝部９を、第一溝部５の左右対称形状としたものである。以下では、第八実施形態の外装パネル１００について、第七実施形態の外装パネル１００と同様の構成については図中に同じ符号を付けて説明を省略し、異なる構成について詳しく説明する。第八実施形態の外装パネル１００は、縦葺きで用いられる。
【０１１０】
第八実施形態の外装パネル１００では、第二溝部９は、両側壁９１、９２が底壁９０から離れるほど互いに近づくように傾斜させて設けられる。そのため、第二溝部９は、側壁９１，９２が影になりやすく、つまりは溝内が暗くなりやすい。
【０１１１】
これにより、第八実施形態の外壁構造では、第一溝部５及び合成溝８に打入された固定具２だけでなく、固定具２の打入されない第二溝部９も目立ちにくくできるものとなっている。
【０１１２】
なお、第八実施形態の外装パネル１００の両側端部は、第一実施形態の外装パネル１００の両側端部と同形状であってもよいし、第二実施形態の外装パネル１００の両側端部と同形状であってもよいし、第三実施形態の外装パネル１００の両側端部と同形状であってもよい。
【０１１３】
以上説明した第一乃至第八実施形態の外装パネル１００では、複数条の溝部３を、１つの第一溝部５と、その左右両側にそれぞれ１つずつ位置する第二溝部９とで構成したが、この様態に限定されない。つまり、複数条の溝部３のうち少なくとも１つの溝部３が第一溝部５であればよく、第二溝部９は備えない様態であってもよい。第一溝部５の数は１つ以上ではあるが、第一溝部５及び第二溝部９の配置と数は適宜設定可能である。いずれの様態においても、第一溝部５の両側壁５１，５２の底壁５０からの高さを互いに相違させることによって、打入された固定具２の外部への露出を抑制することができる。
【０１１４】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【０１１５】
１      角波板
２      固定具
３      溝部
５      第一溝部
６      第一段部
７      第二段部
８      第二溝部
３０    壁下地
５０    底壁
５１    側壁
５２    側壁
９０    底壁
９１    側壁
９２    側壁
１００  外装パネル
２００  出入口
【図１】
2014177830.tif 000003
【図２】
2014177830.tif 000004
【図３】
2014177830.tif 000005
【図４】
2014177830.tif 000006
【図５】
2014177830.tif 000007
【図６】
2014177830.tif 000008
【図７】
2014177830.tif 000009
【図８】
2014177830.tif 000010
【図９】
2014177830.tif 000011
【図１０】
2014177830.tif 000012
【図１１】
2014177830.tif 000013
【図１２】
2014177830.tif 000014
【図１３】
2014177830.tif 000015
【図１４】
2014177830.tif 000016
【図１５】
2014177830.tif 000017
【図１６】
2014177830.tif 000018